【手続補正書】
【提出日】平成23年9月2日(2011.9.2)
【手続補正１】
【補正対象書類名】特許請求の範囲
【補正対象項目名】全文
【補正方法】変更
【補正の内容】
【特許請求の範囲】
【請求項１】
第１の側部パネルと、
第２の側部パネルと、
該第１の側部パネルに接続される第１の上部パネルと、
底部パネルと、
該第２の側部パネルに接続される第２の上部パネルと、
第１の端部パネルと、
第２の端部パネルと、
少なくとも１つの引き裂きストリップを含むカートン開封機能部と、
を備え、
前記少なくとも１つの引き裂きストリップは、第１の引き裂き線と第２の引き裂き線との間に画定され、該第１の引き裂き線及び該第２の引き裂き線は、前記第１の端部パネル、前記上部パネル、及び前記第２の端部パネルに延びる、カートン。
【請求項２】
第１の上部パネル端部フラップが、第１の折り線に沿って前記上部パネルに連結され、第１の底部パネル端部フラップが、第２の折り線に沿って前記底部パネルに連結される、請求項１に記載のカートン。
【請求項３】
前記第１の上部パネル端部フラップの少なくとも一部が、前記第１の端部パネルにおいて前記第１の底部パネル端部フラップの少なくとも一部に重ねて配置される、請求項２に記載のカートン。
【請求項４】
前記少なくとも１つの引き裂きストリップは、前記第１の上部パネル端部フラップに延びて前記第１の底部パネル端部フラップには延びない第１の引き裂きストリップを含む、請求項３に記載のカートン。
【請求項５】
第２の上部パネル端部フラップが、第３の折り線に沿って前記上部パネルに連結され、第２の底部パネル端部フラップが、第４の折り線に沿って前記底部パネルに連結される、請求項１に記載のカートン。
【請求項６】
前記第２の上部パネル端部フラップの少なくとも一部が、前記第２の端部パネルにおいて前記第２の底部パネル端部フラップの少なくとも一部に重ねて配置される、請求項５に記載のカートン。
【請求項７】
前記少なくとも１つの引き裂きストリップは、前記第２の上部パネル端部フラップに延びて前記第２の底部パネル端部フラップには延びない第２の引き裂きストリップを含む、請求項６に記載のカートン。
【請求項８】
前記少なくとも１つの引き裂きストリップは、少なくとも１つのフィンガフラップによって分離される、請求項１に記載のカートン。
【請求項９】
前記少なくとも１つのフィンガフラップは、前記少なくとも１つの引き裂きストリップを前記第１の引き裂きストリップ及び前記第２の引き裂きストリップに分離する、請求項８に記載のカートン。
【請求項１０】
カートンを組み立てる方法であって、該方法は、
表側及び裏側を有するカートンブランクを設けるステップ
を含み、
該カートンブランクは、
第１の側部パネルと、
底部パネルと、
第１の横方向折り線で前記底部パネルに折り曲げ可能に連結される第２の側部パネルと、
第２の横方向折り線で前記第１の側部パネルに折り曲げ可能に連結される第１の上部パネルと、
前記第２の側部パネルに折り曲げ可能に連結される第２の上部パネルと、
前記底部パネルの第１の端部にある第１の底端部パネルと、
前記底部パネルの第２の端部にある第２の底端部パネルと、
第１の長手方向折り線で前記第１の上部パネルの第１の端部に折り曲げ可能に連結される少なくとも１つの第１の上部フラップであって、第１の斜め折り線で連結される一対の第１の上部フラップを含む、少なくとも１つの第１の上部フラップと、
第２の長手方向折り線で前記第１の上部パネルの第２の端部に折り曲げ可能に連結される少なくとも１つの第２の上部フラップであって、第２の斜め折り線で連結される一対の第２の上部フラップを含む、少なくとも１つの第２の上部フラップと、
第３の長手方向折り線で前記第２の上部パネルの第１の端部に折り曲げ可能に連結される少なくとも１つの第３の上部フラップであって、第３の斜め折り線で連結される一対の第３の上部フラップを含む、少なくとも１つの第３の上部フラップと、
第４の長手方向折り線で前記第２の上部パネルの第２の端部に折り曲げ可能に連結される少なくとも１つの第４の上部フラップであって、第４の斜め折り線で連結される一対の第４の上部フラップを含む、少なくとも１つの第４の上部フラップと、
を備え、
前記方法は、
前記第１の斜め折り線で前記第１の上部フラップの対を折り曲げると共に、前記第２の斜め折り線で前記第２の上部フラップの対を折り曲げるステップと、
前記第３の斜め折り線で前記第３の上部フラップの対を折り曲げると共に、前記第４の斜め折り線で前記第４の上部フラップの対を折り曲げるステップと、
前記第２の横方向折り線に関して前記第１の側部パネルに対して前記第１の上部パネルを折り曲げるステップ、及び
前記第１の横方向折り線に関して前記底部パネルに対して前記第２の側部パネルを折り曲げるステップ、
を含む、カートンを組み立てる方法。
【請求項１１】
前記第１の横方向折り線に関して前記第２の側部パネルを折り曲げた後に、
筒状構造を形成するように前記カートンブランクを糊付けするステップ、及び
少なくとも前記第１の上部パネル及び前記第２の上部パネルから上部パネルを形成するステップ、
をさらに含む、請求項１０に記載の方法。
【請求項１２】
筒状構造を形成するように前記カートンブランクを糊付けするステップは、
前記第２の上部パネルに前記第１の上部パネルを接着するステップと、
前記第３の上部フラップの対に前記第１の上部フラップの対を接着するステップ、及び
前記第４の上部フラップの対に前記第２の上部フラップの対を接着するステップ、
を含む、請求項１１に記載の方法。
【請求項１３】
前記第１の長手方向折り線及び前記第３の長手方向折り線に関して前記上部パネルに対して前記少なくとも１つの第１の上部フラップ及び前記少なくとも１つの第３の上部フラップを折り曲げるステップをさらに含む、請求項１２に記載の方法。
【請求項１４】
前記カートンブランクは、
第５の長手方向折り線で前記第１の側部パネルの第１の端部に折り曲げ可能に連結される少なくとも１つの第１の側部パネルフラップと、
第６の長手方向折り線で前記第１の側部パネルの第２の端部に折り曲げ可能に連結される少なくとも１つの第２の側部パネルフラップと、
第７の長手方向折り線で前記第２の側部パネルの第１の端部に折り曲げ可能に連結される少なくとも１つの第３の側部パネルフラップと、
第８の長手方向折り線で前記第２の側部パネルの第２の端部に折り曲げ可能に連結される少なくとも１つの第４の側部パネルフラップと、
をさらに備え、
前記第１の底端部パネルは、第９の長手方向折り線に沿って前記底部パネルに折り曲げ可能に連結され、
前記第２の底端部パネルは、第１０の長手方向折り線に沿って前記底部パネルに折り曲げ可能に連結される、請求項１３に記載の方法。
【請求項１５】
前記第５の長手方向折り線に関して前記第１の側部パネルに対して前記少なくとも１つの第１の側部パネルフラップを折り曲げるステップ、及び
前記第７の長手方向折り線に関して前記第２の側部パネルに対して前記少なくとも１つの第３の側部パネルフラップを折り曲げるステップ、
をさらに含む、請求項１４に記載の方法。
【請求項１６】
前記少なくとも１つの第１の側部パネルフラップは、第５の斜め折り線で連結される一対の第１の側部パネルフラップを含み、前記少なくとも１つの第３の側部パネルフラップは、第６の斜め折り線で連結される一対の第３の側部パネルフラップを含み、前記第５の長手方向折り線に関して前記第１の側部パネルに対して前記少なくとも１つの第１の側部パネルフラップを折り曲げるステップは、前記第５の斜め折り線に関して前記第１の側部パネルフラップの対の一方を折り曲げるステップを含み、前記第７の長手方向折り線に関して前記第２の側部パネルに対して前記少なくとも１つの第３の側部パネルフラップを折り曲げるステップは、前記第６の斜め折り線に関して前記第３の側部パネルフラップの対の一方を折り曲げるステップを含む、請求項１５に記載の方法。
【請求項１７】
前記第９の長手方向折り線に沿って前記底部パネルに対して前記第１の底端部パネルを折り曲げるステップ、及び
前記少なくとも１つの第１の上部フラップ及び前記少なくとも１つの第３の上部フラップに前記第１の底端部パネルを糊付けするステップ、
をさらに含む、請求項１６に記載の方法。
【請求項１８】
前記第１の長手方向折り線及び前記第３の長手方向折り線に関して前記底部パネルに対して前記少なくとも１つの第１の上部フラップ及び前記少なくとも１つの第３の上部フラップを折り曲げて、前記カートンの第１の端部を閉じるステップをさらに含む、請求項１７に記載の方法。
【請求項１９】
前記筒状構造の第２の端部を少なくとも部分的に閉じるステップをさらに含む、請求項１８に記載の方法。
【請求項２０】
前記第１の長手方向折り線及び前記第３の長手方向折り線に関して前記上部パネルに対して前記少なくとも１つの第１の上部フラップ及び前記少なくとも１つの第３の上部フラップを折り曲げた後に、前記筒状構造に複数の容器を装填するステップをさらに含む、請求項１３に記載の方法。